(57)【要約】【課題】効率よく採寸できる採寸方法、採寸器具、及び、採寸用衣服を提供する。【解決手段】採寸用器具１は長さを示す目盛り１０ａが印刷された目盛り部１０と、目盛り部１０を固定するための粘着剤を有する固定部２０と、を含む。採寸に当たり、まず採寸用器具１を固定部２０によりズボン４０の裏側のうち股下丈に対応する部分に固定する。ズボン４０を着用のうえ、ズボン４０の裾を固定した目盛り部１０と共に被採寸者の体格に応じて折り返す。そして、折り返した箇所において目盛り１０ａが示す股下丈を読みとる。【選択図】図１
2019151947.tif 000002
【特許請求の範囲】
【請求項１】
目盛りが設けられたメジャーと、前記メジャーを衣類の裏側に固定する固定手段と、を備えた採寸器具を用いる採寸方法であって、
前記メジャーを、前記固定手段を用いて、前記衣類の裏側であって採寸箇所に対応する位置に固定し、
前記衣類を着用した採寸対象者の体格に応じて、採寸箇所の端部において、前記衣類に固定された前記メジャーを表側に折り曲げ、
前記メジャーを折り曲げた箇所における前記目盛りが示す、前記採寸対象者の体格に応じた採寸箇所の長さを読みとる、
採寸方法。
【請求項２】
前記メジャーを固定するにあたって、前記目盛りが前記衣類の裏側を向くように前記メジャーを前記衣類の裏側に固定する、
請求項１に記載の採寸方法。
【請求項３】
前記固定手段は、前記表示手段の裏面に形成された粘着剤の層である、
請求項１又は２に記載の採寸方法。
【請求項４】
前記メジャーを固定するにあたって、前記目盛りの記号が上下逆になるように前記メジャーを前記衣類の裏側に固定する、
請求項１〜３の何れか１項に記載の採寸方法。
【請求項５】
前記メジャーを表側に折り曲げるにあたって、前記衣類の採寸箇所の端部と共に前記メジャーを折り曲げる、
請求項１〜４の何れか１項に記載の採寸方法。
【請求項６】
前記メジャーが前記衣類の採寸箇所の端部から突出するように、前記メジャーを固定し、
前記メジャーを表側に折り曲げるにあたって、前記衣類の採寸箇所の長さが、前記採寸対象者の体格に応じた採寸箇所の長さ以下である場合、前記メジャーのうち前記衣類の採寸箇所の端部から突出した部分を表側に折り曲げる一方、採寸箇所の長さより長い場合には前記衣類の採寸箇所の端部と共に前記メジャーを折り曲げる、
請求項１〜５の何れか１項に記載の採寸方法。
【請求項７】
前記衣類の採寸箇所は、ズボンの股下丈であり、
前記目盛りの長手方向の長さは、８５センチメートル以上である、
請求項１〜６の何れか１項に記載の採寸方法。
【請求項８】
前記衣類の採寸箇所は、スカートのスカート丈であり、
前記目盛りの長手方向の長さは、６０センチメートル以上である、
請求項１〜６の何れか１項に記載の採寸方法。
【請求項９】
目盛りが設けられたメジャーと、
前記メジャーを衣類の裏側であって採寸箇所に対応する位置に固定する固定手段と、
を備えた採寸器具。
【請求項１０】
所定の採寸箇所を有する衣類と、
目盛りが設けられたメジャーと、
前記メジャーを前記衣類の裏側に固定する固定手段と、
を備え、
前記メジャーが、前記固定手段を用いて、前記衣類の裏側であって採寸箇所に対応する位置に固定された、
採寸用衣服。
【発明の詳細な説明】
【技術分野】
【０００１】
本発明の実施形態は、採寸方法、採寸器具、及び、採寸用衣服に関する。
【背景技術】
【０００２】
衣類を販売するにあたって、袖丈やズボン丈の長さ等を体格に合わせて調整するために、採寸を行う場合がある。
【０００３】
衣類の採寸に関連して、特許文献１は、採寸すべき複数の箇所に対応して、複数の目盛りを備えた採寸メジャーを開示している。
【先行技術文献】
【特許文献】
【０００４】
【特許文献１】特開２００２−３１７３２２号公報
【発明の概要】
【発明が解決しようとする課題】
【０００５】
特許文献１の採寸メジャーを用いて採寸を行う場合、被採寸者が見本となる衣類を着用した上で、採寸箇所を体格に合わせて折り返し、メジャーを当てて長さを測定する必要がある。そのため、被採寸者が衣類を着用した後の手順が多くなり、採寸の効率が悪いという問題があった。
【０００６】
本発明は、上述の事情の下になされたもので、効率よく採寸できる採寸方法、採寸器具、及び、採寸用衣服を提供することを目的とする。
【課題を解決するための手段】
【０００７】
本発明に係る採寸方法は、目盛りが設けられたメジャーと、メジャーを衣類の裏側に固定する固定手段と、を備えた採寸器具を用いる採寸方法であって、メジャーを、固定手段を用いて、衣類の裏側であって採寸箇所に対応する位置に固定し、衣類を着用した採寸対象者の体格に応じて、採寸箇所の端部において、衣類に固定されたメジャーを表側に折り曲げ、メジャーを折り曲げた箇所における目盛りが示す、採寸対象者の体格に応じた採寸箇所の長さを読みとる、ことを特徴とする。
【発明の効果】
【０００８】
本発明によれば、採寸対象者の体格に応じた採寸箇所の長さを、固定したメジャーの目盛りからを読みとることができる。このため、効率よく採寸することができる。
【図面の簡単な説明】
【０００９】
【図１】実施形態１に係る採寸用器具の外観を示す図である。
【図２】採寸用器具の構造を示す概念図である。
【図３】採寸対象となるズボンを示す図である。
【図４】採寸用器具をズボンに固定した状態の例を示す図である。
【図５】ズボンの採寸の具体例を示す図である。
【図６】実施形態２に係る採寸対象となるスカートを示す図である。
【図７】採寸用器具をスカートに固定した状態の例を示す図である。
【図８】スカートの採寸の具体例を示す図である。
【図９】スカートの定型サイズ及び販売実績の例を示す表である。
【発明を実施するための形態】
【００１０】
以下、本発明の実施形態を、図面を用いて説明する。なお、同一又は対応する構成については各実施形態において同一の符号を付し、重複する内容については説明を省略する。
【００１１】
（実施形態１）
本実施形態に係る採寸用器具１は、図１に示すように、表側に基準点（０センチメートル）からの長さを示す目盛り１０ａが表示されている、帯状の器具である。なお、図１においては、採寸用器具１の長さを適宜省略して図示している。以下同様である。
【００１２】
本実施形態では、目盛り１０ａは、ものの長さを測定するために、零点（０センチメートル）から１センチメートルおきに記載された大目盛りと、大目盛りを１ミリメートルおきに刻む小目盛りと、を含む。また、目盛り１０ａにおける零点からの長さを示す記号として、数字が各大目盛りに付して表示されている。この長さを示す記号は、目盛り部１０を長手方向に折り返した場合に正位置に見えるように、通常のメジャーに比して目盛りの長さ方向に対して上下逆転して記載されている。
【００１３】
採寸用器具１を図１の一点鎖線Ａ１−Ａ１に沿って切り取った断面図を図２に示す。図２に示すように、採寸用器具１は、目盛り１０ａが印刷表示された目盛り部１０と、目盛り部１０を衣類に固定する固定部２０と、固定部２０を保護する保護部３０と、がこの順に重ねられた階層構造を有する。このような階層構造により、採寸用器具１は、目盛り１０ａを表側として採寸対象となる衣類に目盛り部１０を付着させることができる。
【００１４】
目盛り部１０は、表側、すなわち固定部２０とは逆側（図２の上側）の面に目盛り１０ａが設けられた紙製の帯状部材である。目盛り部１０には、零点から最大長さ（本実施形態では８５センチメートル）までの長さを示す目盛り１０ａが、目盛り部１０の延在方向に順に印刷されている。また、目盛り部１０の長手方向の長さと、採寸用器具１と、は目盛り部１０ａが示す最大の長さと同一である。このように、目盛り部１０は物の長さを計測する採寸メジャーとして機能する。
【００１５】
固定部２０は、目盛り部１０の裏側の面（目盛り１０ａとは逆側の面）に設けられた、目盛り部１０に対応する形状の粘着剤の層である。本実施形態では、採寸対象となる衣類の裏面の素材（裏地の布など）に対する粘着性を確保するため、固定部２０はアクリルポリマーに架橋材を加えたアクリル系粘着剤で構成されている。なお、これに限らず、例えばゴム系粘着剤やゴム系粘着剤など、他の既知の粘着剤を用いて固定部２０を構成しても良い。固定部２０は、このような物理構成により、目盛り部１０を衣類の裏側のうち採寸箇所に対応する位置に固定する。
【００１６】
保護部３０は、固定部２０のうち目盛り部１０の逆側の面に貼り付けられた、複数の剥離紙により構成される。この剥離紙は、採寸用器具１の未使用時に固定部２０を帯状に覆い、固定部２０を保護する。一方、使用時には、保護部３０を構成する剥離紙を固定部２０から剥離すれば、固定部２０の粘着力により目盛り部１０を衣類の裏側に固定可能になる。このように、保護部３０は未使用時に固定部２０を構成する粘着剤が埃等に触れて粘着性を低下させる程度を低減させる。
【００１７】
このような物理構成により、採寸用器具１は、粘着剤の粘着力により衣類に付着可能なメジャーテープとしての機能を有する。
【００１８】
続いて、図３〜図６を参照して、採寸用器具１を用いて衣類の採寸を行う手順について説明する。ここでは、成人男子を被採寸者として、ズボン４０の股下丈の採寸を行う例について説明する。なお、以下の説明において、ズボン４０を含む衣類の裏表について、正位置で着用した場合に採寸の対象となる被採寸者の体に近い側を裏側、着用者の体から遠い側を表側という。以下同様である。
【００１９】
ズボン４０は、図３に示すように、腰部４０ａと、腰部４０ａと連結された２つの脚部４０ｂ（脚部４０ｂ−１及び脚部４０ｂ−２）と、を有する。本実施形態において採寸対象となる股下丈（図３の長さＬａ）は、股の分かれ目を基準点Ｚ１（長さゼロの点）とした場合、基準点Ｚ１から脚部４０ｂ−２の布面を真下にたどった裾口の下端点Ｙ１までの長さである。なお、採寸箇所について、基準点から下端点（端部の側）に向かって長さが大きくなるものとする。
【００２０】
図４は、脚部４０ｂ−２を内股側から見た図である。採寸に当たって被採寸者にズボン４０を着用してもらう前に、図４に示すように、採寸者がズボン４０の脚部４０ｂ−２の裏側の面（裏地）に採寸用器具１の目盛り部１０を固定する。具体的には、まず保護部３０の剥離紙を固定部２０から剥離する。そして、固定部２０の粘着剤の粘着力により、目盛り部１０を脚部４０ｂ−２の裏側に固定する。
【００２１】
目盛り部１０を固定するにあたって、採寸箇所であるズボン４０の股下丈に対応する位置において、目盛り部１０の目盛り１０ａが基準点Ｚ１から裾口までの長さを示すように位置合わせを行う。すなわち、採寸者はまず基準点Ｚ１（左右の脚部４０ｂ−１及び４０ｂ−２の縫い目と腰部４０ａの縫い目が十字に交わる股止まりの部分）と、目盛り１０ａの零点と、の位置をそれぞれ一致させる。その上で、基準点Ｚ１から裾口の下端点Ｙ１まで、脚部４０ｂ−２の内側の縫い目に沿って目盛り部１０を弛まない様に固定させる。このとき、固定部２０が目盛り部１０のうち目盛り１０ａの逆側の面に形成されているため、目盛り部１０は目盛り１０ａが脚部４０ｂ−２の裏側を向くようにして固定される。このとき基準点Ｚ１を上側、下端部Ｙ１を下側とすると、目盛り１０ａの零点が上側にくるように目盛り部１０を固定しているので、目盛り１０ａの数字は採寸者から見て上下逆転している。
【００２２】
本実施形態では、目盛り１０ａが０センチメートルから８５センチメートルまで表示されている採寸用器具１を用いて採寸を行う。実測データによれば、日本人男性の股下丈の累積分布は、短い側から累計して８５センチメートルで約９７パーセントに達する。このため、目盛り１０ａの長さが８５センチメートルあれば、十分な割合の被採寸者に応じた股下丈を採寸できる。なお、変形例として、目盛り１０ａの長さを８５センチメートル以上（例えば９０センチメートルや９５センチセンチメートル）として、さらに足の長い被採寸者に対する採寸用器具１の採寸能力を担保してもよい。
【００２３】
一方、本実施形態においては、採寸用器具１の目盛り１０ａの長さよりも、股下丈が短いズボン４０を用いて採寸する。例えば、日本における被採寸者の標準体型に近い、股下丈７６センチメートルのズボン４０を用いて採寸を行う。目盛り１０の長さが８５センチメートルであるため、零点の位置合わせを行った上でズボン４０の股下丈に対応する部分に目盛り部１０を固定すると、図４に示すように、目盛り部１０が脚部４０ｂ−２の裾口の下端点Ｙ１からさらに裾側に９センチメートルだけ突出する。
【００２４】
次に、目盛り部１０を固定したズボン４０を被採寸者に着用してもらい、股下丈の採寸を行う。具体的には、図５に示すように、脚部４０ｂ−２の裾部を、脚部４０ｂ−２の裏側に固定された目盛り部１０とともに、被採寸者の体格に応じて表側に折り曲げる。この結果、被採寸者がズボン４０を着用時に、被採寸者の脚の最適な位置に、脚部４０ｂ−２の裾口及び目盛り部１０の折り曲げた箇所が位置する。
【００２５】
このとき、脚部４０ｂ−２と、目盛り部１０と、を共に折り曲げたことによって目盛り１０ａが裾部においてズボン４０の表側に露出する。また、目盛り部１０を長手方向に折り曲げることにより、目盛り１０ａに印刷表示された数字が上下方向に反転して目視可能となる。本実施形態の目盛り部１０では、目盛り１０ａの記号が予め上下逆に印刷されているため、折り返した端部で記号が正位置となり、採寸者にとって読み取り安くなる。
【００２６】
さらに、採寸者は目盛り部１０を折り返した折り目の位置で、目盛り１０ａの示す零点からの長さを読み取る。上述した目盛り１０ａの零点と基準点Ｚ１との位置合わせにより、目盛り部１０ａの示す零点からの長さは、股下丈の長さと一致する。そこで採寸者は、脚部４０ｂ−２の裾部において、目盛り部１０を折り返した位置における目盛り１０ａが示す長さを、被採寸者の体格に応じた股下丈として読み取る。
【００２７】
なお、上述したように、被採寸者の体格に応じた股下丈がズボン４０の股下丈以下である場合、脚部４０ｂ−２の裾部を目盛り部１０と共に折り返す。一方、被採寸者の体格に応じた股下丈がズボン４０の股下丈より長い場合、目盛り部１０が裾部側で突出した部位を仮想的な裾部とする。そして、この目盛り部１０の突出した部位を、被採寸者の体格に合った長さになるように表側に折り曲げる。その上で、目盛り部１０を折り曲げた折り目の位置において目盛り１０ａが示す長さを、採寸結果として読み取る。このため、採寸に用いたズボン４０よりも幅広い体格の被採寸者に対応した採寸が可能となる。
【００２８】
以上のような手順で、予め採寸用器具１の目盛り部１０を固定したズボン４０を用いて１回の採寸を行う。本実施形態では、この目盛り部１０を固定したズボン４０を用いて複数回の採寸を行う。例えば、複数の顧客に対してズボンを採寸して販売するにあたり、予め採寸用のズボン４０に目盛り部１０を有する採寸用器具１を固定しておく。そして、多数の顧客に対してズボン４０を用いて採寸を行う。この場合、採寸用器具１を予めズボン４０の裏側に固定しておけば、採寸を効率化できる。
【００２９】
その後、採寸結果に応じてズボン４０（又はズボン４０と同型のズボン）の股下丈を調節する。そして、顧客である被採寸者に販売する。
【００３０】
以上説明したように、本実施形態によれば、予め固定された目盛り部１０の目盛り１０ａに基づき、被採寸者の体格に応じた股下丈の長さを採寸することができる。このため、採寸にあたって、被採寸者が採寸用の衣服を着用した後の手順が少なくてすむため、効率よく採寸することができる。具体的には、目盛り部１０を固定しない従来の方法と比べて、採寸時間は三分の一程度ですむ。
【００３１】
例えば、目盛り部１０を固定せずに採寸を行う場合、まず被採寸者にズボン４０を着用してもらい、体格に応じて裾を折り返す。そして、折り返した折り目をクリップで固定した上でズボン４０を脱いでもらった後、通常のメジャーを当てて採寸を行う、といった手間が必要になる。しかし、ズボン４０の股下丈の裏側の部分に採寸用器具１の目盛り部１０を予め固定しておくことで、その後の折り位置の保全や、メジャーの位置合わせといった手間を省くことができる。このように、採寸時の被採寸者の待ち時間が特に短縮される。
【００３２】
さらに、一度採寸用器具１の目盛り部１０をズボン４０に固定すれば、目盛り部１０を取り除くまで複数回にわたって目盛り１０ａの長さ情報を利用できるので、特に一つのズボン４０を用いて複数回採寸を実行する場合に、採寸の効率を上昇できる。また、毎回メジャーを当てる方法を採用した場合、メジャーの位置合わせのズレにより、正確に採寸できない恐れがある。しかし、本実施形態によれば、予め目盛り部１０を位置合わせして固定しているので、採寸毎に生じるムラが少ない。
【００３３】
また、粘着剤を含む固定部２０と目盛り部１０とを有するシンプルな構造の採寸用器具１をズボン４０に固定するだけでよく、特別な採寸用衣類を用意する必要が無い。すなわち、コストが小さい。
【００３４】
さらに、採寸対象であるズボン４０の股下丈に対応して、目盛り部１０と、固定部２０と、保護部３０と、を含む採寸用器具１の長手方向の長さは略８５センチメートルである。採寸用器具１が長すぎると、目盛り部１０が採寸時に邪魔になる。また、コストの増大や取扱いの煩雑さにもつながる。一方、短すぎる場合、被採寸者の体格を採寸できない恐れがある。上述したように、目盛り部１０ａで採寸可能な長さが８５センチメートルあれば、本実施形態の採寸対象者の９７パーセントの股下丈を採寸可能である。このため、本実施形態では、採寸箇所に応じて、統計的に好適な長さを有する採寸用器具１を用いて、効率よく採寸を行うことができる。
【００３５】
（実施形態２）
次に、実施形態２について説明する。本実施形態は、採寸対象となる衣類がスカートであること、及び、採寸対象箇所がスカート丈である点が実施形態１と異なる。なお、ここでは日本人の高校生の制服のスカート（膝丈）を採寸する場合を例にとって説明する。
【００３６】
本実施形態で採寸に用いられるスカート５０は、図６に示すように、ベルト部５０ａと、ベルト部５０ａと連結した筒状部５０ｂとを含む。ここで採寸箇所であるスカート５０のスカート丈は、図６の両矢印で示すように、ベルト部５０ａの下端部（基準点Ｚ２）から筒状部５０ｂの下端点Ｙ２までの長さＬｂである。なお、ベルト部５０ａの下端部のうち、正位置で被採寸者が着用した場合の右脚の前部に対応する部分を基準点Ｚ２とする。また、筒状部５０ｂの下端のうち、正位置で被採寸者が着用した状態で、基準点Ｚ２から真下に位置する点を下端点Ｙ２とする。
【００３７】
このスカート５０については、定型サイズとして、複数の段階的なウエストサイズが規定されている。また、各ウエストサイズについて、複数の段階的なスカート丈のサイズが規定される。本実施形態のスカート５０では、図９に示すように、定型のウエストサイズとして、５７センチメートル、６０センチメートル、６３センチメートル、６６センチメートル、などの複数のサイズが規定されている。また、一つのウエストサイズについて、４８センチメートル、５１センチメートル、５４センチメートル、５７センチメートルなどの複数のスカート丈の定型サイズが規定されている。図９では、各定型サイズのスカートについて、所定の期間内に、採寸の結果に基づき販売された数（例えばウエストサイズが６３センチメートル、スカート丈が４８センチメートルのスカートが、この期間において１７着販売されているなど）が示されている。この例では、この期間において販売されたこのタイプのスカートのうち、最もスカート丈が短いものは４８センチメートルであった。また、最もスカート丈が長いものは６０センチメートルであった。すなわち、被採寸者の体格に応じたスカート丈は、９９パーセント以上が定型サイズの範囲である４８センチメートル以上６０センチメートル以下の長さに含まれる。
【００３８】
複数のウエストサイズに対応して、複数の採寸用のスカート５０を用いて採寸を行う。ここでは、各ウエストサイズについて、スカート丈が４８センチメートルのものを一つずつ、採寸用のスカート５０として確保する。そして、ウエストサイズが異なる各採寸用のスカート５０に対して、採寸用器具１をそれぞれ取付ける。採寸用器具１としては、図９のデータに基づく過不足が無い長さとして、目盛り部１０ａの長さが６０センチメートルのものを用いる。
【００３９】
変形例として、各ウエストサイズにおいて、定型サイズとして規定されている最も短いスカート丈のものを、採寸用のスカート５０としてもよい。あるいは、各ウエストサイズにおいて、最頻出の採寸結果のスカート丈のものを、採寸用のスカート５０としてもよい。また、目盛り１０ａの長さを６０センチメートル以上（例えば６６センチメートル）として、さらに足の長い被採寸者に対する採寸用器具１の採寸能力を担保してもよい。また、同じウエストサイズについて、スカート丈が異なる複数の採寸用のスカート５０を用いても良い。採寸に用いるスカート５０のスカート丈及び採寸用器具１の長さはこれに限らず、想定される採寸対象者の体格（子供か成人か等）や販売するスカートの丈（ミニスカートかロングスカートか等）に応じてふさわしい長さのものを採用してもよい。
【００４０】
採寸にあたっては、採寸者は実施形態１と同様の手順で、スカート５０の裏側のうち採寸箇所であるスカート丈に対応する部分に採寸用器具１の目盛り部１０を固定する（図７）。ここでは、スカート５０のスカート丈（ここでは４８センチメートル）よりも採寸用器具１の目盛り部１０ａの示す最大の長さ（ここでは６０センチメートル）が長い。このため、目盛り１０ａの零点と基準点Ｚ２の位置合わせを行ったうえで目盛り部１０をスカート５０の裏側に固定すると、図７に示すように、筒状部５０ｂの裾口から目盛り部１０の下端が下方に突出する。
【００４１】
目盛り部１０を固定したスカート５０を用いて、スカート丈の採寸を行う。ここでは、スカート丈の採寸に先立って、まずウエストサイズの決定を行う。具体的には、目盛り部１０をそれぞれ固定した、ウエストサイズが異なる複数のスカート５０を、順に被採寸者に着用してもらい、最も体格に合致したものを決定する。そして、このスカート５０のウエストサイズを被採寸者の体格にあったウエストサイズとする。なお、ウエストサイズは別途通常のメジャー等を用いて決定しても良い。
【００４２】
ウエストサイズを決定した後、スカート丈の採寸を行う。ここでは、ウエストサイズの決定に目盛り部１０を固定したスカート５０を用いているので、最適なウエストサイズが決定されたとき、被採寸者はこのウエストサイズのスカート５０を着用した状態である。なお、通常のメジャーを用いた採寸によりウエストサイズを決定した等の理由により、採寸者が未だ体格に応じたウエストサイズのスカート５０を着用していない場合、新たに目盛り部１０を固定したスカート５０を着用してもらえばよい。その上で、採寸者は、このスカート５０の裾部を、被採寸者の体格に合わせて表側に折り返す。このとき、被採寸者の体格上に応じたスカート丈がスカート５０のスカート丈以下である場合、筒状部５０ｂの裾部を目盛り部１０と共に折り返す。一方、被採寸者の体格に応じたスカート丈がスカート５０のスカート丈より長い場合、目盛り部１０が裾部側で突出した部位を仮想的な筒状部５０ｂとして、この突出した目盛り部１０を体格に合わせて表側に折り返す（図８）。
【００４３】
図８に示すように、スカート５０の裾部において目盛り部１０を表側に折り返すと、目盛り１０ａが表側に現れる。そこで、目盛り部１０を折り返した折り目の箇所において、目盛り１０ａが示す長さを、被採寸者の体格に応じたスカート丈として読み取る。このとき、スカート丈の定型サイズが離散的に規定されていることに応じて、目盛り１０ａの長さを定型サイズのピッチで読み取り、何れのサイズが体格に合致したものか決定する。例えば、定型サイズのスカート丈が３センチメートル間隔で規定されている場合、これに応じて３センチメートルピッチで採寸結果を読み取り、この結果に基づき定型サイズのうち何れが体格に応じたスカート丈であるか決定する。なお、採寸結果が定型サイズの範囲に収まらない場合や、スカート丈を定型サイズからさらに細かく調節する場合、そもそもスカート丈に複数の定型サイズが規定されていない場合など、目盛り１０ａが示す長さをそのまま採寸結果として読み取っても良い。
【００４４】
このようにして、採寸用器具１の目盛り部１０を固定したスカート５０を用いたスカート丈の一回の採寸を実行する。実施形態１と同様に、本実施形態においても採寸用器具１の目盛り部１０を固定した一つのスカート５０を用いて複数人に対して採寸を行う。そして、顧客である被採寸者に採寸結果に基づくサイズのスカートを販売する。
【００４５】
このように、本実施形態の採寸方法によれば、スカート５０の採寸を効率よく実行できる。ここでスカート５０の採寸においては、実施形態１で説明した内容に加えて、採寸用に用いるスカートの数を削減する効果を奏することができる。スカートは、ウエストサイズとスカート丈との組み合わせでスカートのシルエットが異なる。このため、従来のスカートの採寸にあたっては、図９に示すようなウエストサイズとスカート丈との組み合わせすべてについて採寸用のスカートを用意する必要があった。例えば、定型のスカートのウエストサイズがｎ通、スカート丈がｍ通りある場合、ｎ×ｍ個のスカートを用意して、何れの試着用スカートが体格に合うか被採寸者に試着してもらって採寸を行っていた。そのため、採寸のために定型のサイズのスカートを全組み合わせについて用意した上で、ウエストサイズ及びスカート丈が体格に合ったスカートが見つかるまで被採寸者に着替えてもらう必要があり、採寸の効率が悪かった。これに対し、本実施形態によれば、スカートの採寸にあたって、スカート丈については組み合わせの数に含めなくてよいため、採寸の効率が高い。また、予め各ウエストサイズについて目盛り部１０を固定した採寸用のスカート５０を準備しているので、複数のウエストサイズのスカートを用いて採寸するにあたって採寸の効率が向上する。
【００４６】
また、想定される被採寸者の体格に応じたスカート丈は、（図９のデータでは９９パーセント以上の割合で）４８センチメートル以上６０センチメートル以下である。ここでは、スカート丈を採寸するための採寸用器具１として、目盛り部１０ａの長さ（目盛り部１０の長手方向の長さ）が、この上限である６０センチメートルより長いものを用いる。このため、想定される被採寸者の体格に対応した長さの採寸用器具１を用いて採寸を行うことができる。
【００４７】
また、本実施形態では、図９のデータに基づき想定される被採寸者の体格に対して、スカート丈が十分短い（４８センチメートル）スカートを採寸用のスカート５０として用いた。よって、想定される被採寸者の大半について、スカートの筒状部５０ｂを折り返さず、採寸用器具１の目盛り部１０を折り返して採寸することができる。
【００４８】
なお、図６に示したスカート丈に代えて、ベルト部５０ａの丈を含む総スカート丈を採寸箇所としてもよい。この場合は、採寸の基準点として、ベルト部５０ａの最上部を用いて目盛り部１０ａとの位置合わせを行えばよい。
【００４９】
（変形例）
本発明の実施形態について説明したが、本発明の実施形態はこれに限られず、さまざまな変形が可能である。
【００５０】
例えば、採寸用器具１の目盛り１０ａの長さとして、ズボン４０の股下丈を採寸する実施形態１において８５センチメートル、スカート５０のスカート丈を採寸する実施形態２において６０センチメートルである場合を例にとって説明した。しかしこれに限らず、採寸用器具１は他の形状であっても良い。例えば、目盛り１０ａの長さが、上述した長さよりも１０パーセント、あるいは１０センチメートル長い形状であってもよい。具体的には、ズボン４０の股下丈を採寸する場合、好ましくは目盛り１０ａの長さが８５センチメートル以上９５センチメートル以下であるとしても良い。あるいは、目盛り１０ａの長さが８０センチメートル以上１００センチメートル以下であるとしてもよい。一方、子供用ズボンの採寸のためには、目盛り１０ａの長さを６０センチメートル以上８０センチメートル以下としてもよい。また、スカート５０のスカート丈を採寸する場合でも、目盛り１０ａの長さを６０センチメートル以上６６センチメートル以下、あるいは、５７センチメートル以上７０センチメートル以下としてもよい。ロングスカートを採寸する場合に対応して、目盛り１０ａの長さが６５センチメートル以上８５センチメートル以下としても良い。なお、目盛り１０ａを含めた採寸用器具の長さが、採寸の対象部及び被採寸者の体格に対して過不足のない長さを有することが望ましい。また、採寸に使用したズボン４０やスカート５０は一例であって、必要に応じて好適なサイズや形状の衣類を採用可能である。
【００５１】
また、採寸用器具の物理構成は上記実施例に限らない。たとえば、目盛り部１０と、固定部２０と、保護部３０とは、それぞれ完全に重なり合わなくても良い。例えば、目盛り部１０のうち衣類から突出する部分については、固定部２０及び保護部３０が形成されていない構造を採用することができる。あるいは、目盛り部１０のうち衣類から突出する部分については、保護部３０が固定部２０から剥離しないような構造をとっていても良い。
【００５２】
また、目盛り部１０を衣類の裏側に固定する手段として粘着剤を含む固定部２０を例に挙げて説明した。しかし、これに限らず、衣類の裏側の採寸箇所に対応する位置に目盛り部１０を取付け可能な構造であれば、他の既知の構成を採用してもよい。例えば、採寸時に位置のずれが生じない好適な構成として、アイロン接着や面ファスナー、スナップボタンなどによる固定が例示できる。
【００５３】
さらに、上記実施形態では目盛り部１０は紙製の帯状部材とした。目盛り部１０は、既知の他の素材で構成してもよい。ポリ塩化ビニル製の部材や布部材であってもよい。あるいは、シリコン被膜紙であってもよい。なお、長手方向に物理力が加わった場合に目盛り部１０が伸びる割合が少ない素材であることが望ましい。
【００５４】
また、目盛り部１０における目盛り１０ａは、帯状部材である目盛り１０を衣類のサイズを測定するメジャーとして機能させる内容であれば、図１に例示したものに限らない。例えば、目盛り１０ａの記号は上下逆転して記載されていたが、正位置で印刷されていても良い。あるいは、目盛り部１０の長手方向に対して横向きに表示されていても良い。さらに、目盛り１０ａは大目盛り及び小目盛りと、大目盛りに付された零点からの距離を示す数字として説明した。しかし、目盛りの内容は衣類及び採寸対象箇所に対応して変更しても良い。例えば、スカート５０のスカート丈が３センチメートル毎にサイズアップすることに対応して、目盛り１０ａにおいて３センチメートル毎に目盛りを設ければよい。あるいは、衣類の採寸対応部位においてエルエルサイズ（ＬＬ）、ラージサイズ（Ｌ）、スモールサイズ（Ｓ）、などの複数のサイズについて段階的に長さが規定されている場合、目盛り１０ａにおいて対応するサイズを示す記号が付されている採寸用器具を用いて採寸を行っても良い。
【００５５】
なお、採寸対象となる衣類及び採寸対象箇所は、上述した例に限定されない。例えば、シャツの袖の長さといった、折り返して長さを採寸する他の衣類及び採寸対象箇所にも応用可能である。
【００５６】
以上、本発明の好ましい実施形態について説明したが、本発明は係る特定の実施形態に限定されるものではない。本発明は、特許請求の範囲に記載された発明とその均等の範囲が含まれる。
【符号の説明】
【００５７】
１…採寸用器具
１０…目盛り部
１０ａ…目盛り
２０…固定部
３０…保護部
４０…ズボン
４０ａ…腰部
４０ｂ−１、４０ｂ−２…脚部
５０…スカート
５０ａ…ベルト部
５０ｂ…筒状部
Ｚ１、Ｚ２…基準点
Ｙ１、Ｙ２…下端点
【図１】
2019151947.tif 000003
【図２】
2019151947.tif 000004
【図３】
2019151947.tif 000005
【図４】
2019151947.tif 000006
【図５】
2019151947.tif 000007
【図６】
2019151947.tif 000008
【図７】
2019151947.tif 000009
【図８】
2019151947.tif 000010
【図９】
2019151947.tif 000011